(57)【要約】【課題】型枠を緩めるのとほぼ連続して保水マットの設置、湿潤養生が可能となり、打設直後からの連続した湿潤養生が可能となるコンクリート構造物側面の湿潤養生方法を提供する。【解決手段】型枠１２の撤去可能時期（通常打設日から３−５日後）に型枠１２を緩め、保水マット２０を挟み込み、保水マット２０内に水を流すことによって湿潤養生を行う。【選択図】  図２
2014181524.tif 000002
【特許請求の範囲】
【請求項１】
型枠撤去可能時期（通常打設日から３−５日後）に型枠を緩め、保水マットを挟み込み、保水マット内に水を流すことによって湿潤養生を行うことを特徴とするコンクリート構造物側面の湿潤養生方法。
【請求項２】
型枠の緩めを、型枠に接続した横コ字形の枠台とこの枠台を浮き上らせるハンドルナットからなる切離し治具を用い、フォームタイ（登録商標）のナットを緩め、フォームタイを反力として、ハンドルナットを回し、切離し治具に力を与えることで行う請求項１記載のコンクリート構造物側面の湿潤養生方法。
【発明の詳細な説明】
【技術分野】
【０００１】
本発明は、コンクリート構造物側面の湿潤養生方法に関するものである。
【背景技術】
【０００２】
コンクリート構造物には、コンクリートの打設、硬化後に所定の強度や耐久性を発揮することが要求されていて、表面の強度増加、緻密化のため高炉セメントＢ種の場合で、打設後７−１２日間湿潤状態を保つことが求められている（この期間は、型枠、養生シートなどによりコンクリート表面を乾燥させず、湿った状態に保つもので、セメントの種類、外気温などの条件によって異なる）。
【０００３】
具体的な養生の方法として、基礎スラブなど広い面積を有する構造物の上面の場合には、湛水養生（５−１０ｃｍ程度の水を溜める）に加えて養生マット（不織布など）で覆うことが行われ、この規定が確実に守られている。
【０００４】
一方、側壁、橋脚など鉛直方向に大きい構造物の側面の場合は、湛水養生ができないことから、型枠撤去後、夏期においては封緘養生（ビニールシートを壁に貼り付け、コンクリート表面の乾燥を抑制）、また冬期においては保温＋封緘養生（気泡緩衝シート（登録商標プチプチ）を壁に貼り付け、コンクリート表面の乾燥を抑制すると同時に熱の放散を抑制する）が行われているのが実状であり、湿潤状態を確実に保つことができていない。
【０００５】
当然のことながら、側面においても湛水養生に近い養生を２−３週間続けることが望ましく、下記非特許文献１や特許文献１、特許文献２は代替案として提案されたものである。
【非特許文献１】インターネットのウェブサイト、株式会社間組の「アクアカーテン」のサイト  http://www.hazama.co.jp/jp/newtech/doboku/aqua/index.html
【特許文献１】特許第４５８０４６０号公報
【特許文献２】特許第４５８０４６１号公報
【０００６】
これら非特許文献１や特許文献１、２は図９に示すように、型枠撤去後の縦壁やトンネルのコンクリート構造物１の面に養生シート２（不織布４＋気泡緩衝シート３）を気圧差（養生シート２外周部をテープによりコンクリートに接着し、コンクリートと養生シート２の間の空気を吸引管７で抜くことによってコンクリート構造物１側の圧を下げ、気圧差で養生シート２をコンクリート面に押し付け設置）で設置、保持する。
【０００７】
その後、上部に配置した給水ホース５から不織布４に養生水６を供給し、下部の吸引管７の吸引口８から空気と一緒に養生水６を回収する。
【０００８】
回収した養生水６は給水ホース５に戻し、循環利用する。気泡緩衝シート３は、不織布４内の養生水６の蒸発防止、保温養生（断熱性に優れている）の役目も果たす。
【０００９】
湛水養生とはならないが、不織布４が常に湿潤状態にあることから封緘養生（気泡緩衝シート３でコンクリートが持っている水分を逃がさない養生）に比べると格段に優れた養生方法である。
【発明の概要】
【発明が解決しようとする課題】
【００１０】
この工法の問題点は、型枠を撤去して直ぐに養生シート２を設置し養生を開始するのが最良だが、型枠の撤去、養生シート２の設置作業のため１−２日程度コンクリートをむき出しにする時間ができ、その間コンクリート表面が乾燥する。
【００１１】
型枠撤去直後でコンクリート表面が湿気ている状態では、養生シート２の外周部の密閉作業（接着テープでコンクリート面に貼付け）ができないため、コンクリート表面の乾燥を待つ必要がある。
【００１２】
鉛直のコンクリート面に気圧差で養生シート２の貼付けを行うため、養生シート２の取付け作業が容易ではない。
【００１３】
また、降雨時には取付け作業ができない。５ｍ／sec以上の風が吹いていると、養生シート２があおられ、貼付け作業が困難である。
【００１４】
さらに、養生シート２の気密性が保たれていないと養生水６の水圧によって養生シート２が剥がれ落ち、破損してしまう。また、養生シート２の不織布４は薄いもの（厚さ１mm程度（３０ｇ／ｍ2））を使用するため、十分に水分を保持することができず、均等に水を流すことが難しい。
【００１５】
養生シート２は転用が利かず、使い捨てとなる。吸気設備、循環用ポンプ設備の運用によって養生シート２は安定して張り付いており、吸気設備の故障によって養生シート２が剥がれ落ちるおそれがある。そのため常時監視が必要である。
【００１６】
前記と同じ理由から、停電状態を防ぐ必要があり常に非常用電源設備が必要となる。
【００１７】
本発明の目的は前記従来例の不都合を解消し、型枠を緩めるのとほぼ連続して保水マットの設置、湿潤養生が可能となり、打設直後からの連続した湿潤養生が可能となるコンクリート構造物側面の湿潤養生方法を提供することにある。
【課題を解決するための手段】
【００１８】
前記目的を達成するため請求項１記載の本発明は、型枠撤去可能時期（通常打設日から３−５日後）に型枠を緩め、保水マットを挟み込み、保水マット内に水を流すことによって湿潤養生を行うことを要旨とするものである。
【００１９】
請求項１記載の本発明によれば、型枠を緩めるのとほぼ連続して保水マットの設置、湿潤養生が可能となり、打設直後からの連続した湿潤養生が可能となる。また、保水マットは型枠で締め付け、形状保持するため、厚く、保水性のいいものが使用でき、コンクリート表面の湿潤状態を確実に保つことができる。小さな幅の保水シートを型枠との間に落とし込むだけであり、人力での設置が可能である。吸気設備、循環ポンプ、非常用電源の設備は必要なく、維持管理が容易である。保水シートは、使用後乾燥させることによって、何度も転用が可能である。
【００２０】
請求項２記載の本発明は、型枠の緩めを、型枠に接続した横コ字形の枠台とこの枠台を浮き上らせるハンドルナットからなる切離し治具を用い、フォームタイ（登録商標）のナットを緩め、フォームタイを反力として、ハンドルナットを回し、切離し治具に力を与えることで行うことを要旨とするものである。
【００２１】
請求項２記載の本発明によれば、切離し治具により型枠を緩めるのを簡単かつ迅速に行うことができる。
【発明の効果】
【００２２】
以上述べたように本発明のコンクリート構造物側面の湿潤養生方法は、型枠を緩めるのとほぼ連続して保水マットの設置、湿潤養生が可能となり、打設直後からの連続した湿潤養生が可能となるものである。
【発明を実施するための形態】
【００２３】
以下、図面について本発明の実施の形態を詳細に説明する。図１−図３は本発明のコンクリート構造物側面の湿潤養生方法の１実施形態を示す各工程の側面図で、本発明は、型枠１２の撤去可能時期（通常打設日から３−５日後）に型枠１２を緩め、保水マットを挟み込み、保水マット内に水を流すことによって湿潤養生を行うものである。
【００２４】
図１は型枠１２の設置状態で、１０は既打設コンクリート、１１はこれに取り付けるブラケットである。
【００２５】
ブラケット１１で支承して型枠１２を設置するが、周知のごとく、セパレータ１３で組立てる。セパレータ１３を鉛直方向に同一ラインで配置した型枠１２内にコンクリートを打設する。（セパレータの水平方向間隔は、一般的なものと同じく０．６−１．０ｍ）
【００２６】
図８は詳細部を示すもので、セパレータ１３端にＰコン１４が螺子止めされ、このＰコン１４にフォームタイ１５が型枠１２を貫通して螺着される。
【００２７】
図中１６は通称バタパイプと呼ばれる単管パイプで、型枠１２の外側からの押えとなり、これを３型リブ座金１７およびナット１８で固定する。フォームタイ１５は螺子切りであり、ナット１８が螺合する。
【００２８】
図２に示すようにコンクリートを打設し、コンクリート構造物１９が形成された時に、型枠１２の撤去可能時期（通常打設日から３−５日後）に型枠１２のフォームタイ１５のナット１８を緩め、コンクリートから型枠１２を離して４−６cmの隙間２１を造り、この隙間２１に縦長の保水マット２０（セパレータの横間隔と同じ０．６−１．０ｍ幅）を挿入する。保水マット２０の上部は型枠に仮固定する。
【００２９】
保水マット２０には種々のものが利用できるが、例えば、厚手のタオル生地（又は３−４枚重ねたもの）、木綿の紐すだれ、繊維補強不織布など、１０ｍｍ程度の厚さで保水性に優れたものが良い。横幅は０．６−１．０ｍでセパレータの間隔と同じとする。
【００３０】
図４−図６はこのように型枠１２を緩める手段の一例を示すもので、横コ字形の枠台２２とこの枠台２２を浮き上らせるハンドルナット２３からなる切離し治具２４を用いると簡単に行うことができる。図７にハンドルナット２３を示すと、螺子溝内面の螺子輪部２３aと、これにヒンジで結合する棒状ハンドル２３ｂを有する。
【００３１】
型枠１２の引き離しは、フォームタイ１５のナット１８を緩め、フォームタイ１５を反力としてハンドルナット２３の棒状ハンドル２３ｂを回し、切離し治具２４に力を与えることで行う。
【００３２】
他の方法として、型枠に設置した注入孔から圧縮空気を注入し引き離す方法、ジャッキ、チェーンブロックによって引き離すことも可能である。
【００３３】
その後、型枠をコンクリートとの隙間が約５mmになるように締戻す（保水マットを若干絞り込む程度）。
【００３４】
その後コンクリートの天端を養生水および養生マット２５により湛水養生する。これにより、自動的に保水マット２０内に養生水が流れ込む。
【００３５】
養生水の流れ状況は、保水マット２０の下端の水の滴る状況で判断し、流れていない部分があれば型枠１２の締め具合を若干緩める。
【図面の簡単な説明】
【００３６】
【図１】本発明のコンクリート構造物側面の湿潤養生方法の１実施形態を示す第１工程の側面図である。
【図２】本発明のコンクリート構造物側面の湿潤養生方法の１実施形態を示す第２工程の側面図である。
【図３】本発明のコンクリート構造物側面の湿潤養生方法の１実施形態を示す第３工程の側面図である。
【図４】切離し治具設置の側面図である。
【図５】図４のＡ−Ａ線断面図である。
【図６】図４のＢ−Ｂ線断面図である。
【図７】ハンドルナットの斜視図である。
【図８】型枠設置の詳細部の側面図である。
【図９】従来例を示す側面図である。
【符号の説明】
【００３７】
１…コンクリート構造物      ２…養生シート
３…気泡緩衝シート          ４…不織布
５…給水ホース              ６…養生水
７…吸引管                  ８…吸引口
１０…既打設コンクリート    １１…ブラケット
１２…型枠                  １３…セパレータ
１４…Ｐコン                １５…フォームタイ
１６…単管パイプ            １７…３型リブ座金
１８…ナット                １９…コンクリート構造物
２０…保水マット            ２１…隙間
２２…枠台                  ２３…ハンドルナット
２３ａ…螺子輪部            ２３ｂ…棒状ハンドル
２４…切離し治具            ２５…養生水および養生マット
【図１】
2014181524.tif 000003
【図２】
2014181524.tif 000004
【図３】
2014181524.tif 000005
【図４】
2014181524.tif 000006
【図５】
2014181524.tif 000007
【図６】
2014181524.tif 000008
【図７】
2014181524.tif 000009
【図８】
2014181524.tif 000010
【図９】
2014181524.tif 000011